(57)【特許請求の範囲】
【請求項１】
サッシ枠と、サッシ枠に組み込まれる複数の引戸障子と、ＦＩＸ障子とを備え、
サッシ枠は引戸障子が走行する内レールと外レールを有すると共に左右方向中間部の室内側に間仕切りを受ける受け材を有し、
受け材の左右方向一方側には、外レールに外側引戸障子を走行自在に配置してあり、内レールに一方側の内側引戸障子を走行自在に配置してあり、
受け材の左右方向他方側には、ＦＩＸ障子が一方側の内側引戸障子に隣接して且つ内レールよりも室内側に配置してあると共に、他方側の内側引戸障子を内レールに走行自在に配置してあり、
他方側の内側引戸障子の巾寸法をＡとし、ＦＩＸ障子の巾寸法をＢとし、一方側の内側引戸障子の巾寸法をＣとし、外側引戸障子の巾寸法をＤとし、受け材と一方側のサッシ縦枠との間の寸法をＷ２とし、受け材と他方側のサッシ縦枠との間の寸法をＷ１としたときに、
Ａ＋Ｂ≧Ａ＋Ｃ
Ａ＋Ｂ≧Ｄ
Ａ＋Ｂ＝Ｗ１
Ｃ＋Ｄ＝Ｗ２
の関係にあることを特徴とするフルオープンサッシ。
【請求項２】
サッシ枠と、サッシ枠に組み込まれる複数の引戸障子と、ＦＩＸ障子とを備え、
サッシ枠は引戸障子が走行する内レールと外レールを有すると共に左右方向中間部の室内側に間仕切りを受ける受け材を有し、
受け材の左右方向一方側には、外レールに外側引戸障子を走行自在に配置してあり、
受け材の左右方向他方側には、ＦＩＸ障子がその一方側縦框を外側引戸障子に隣接して且つ内レールよりも室内側に配置してあると共に、内レールに内側引戸障子を走行自在に配置してあり、
内側引戸障子の巾寸法をＡとし、ＦＩＸ障子の巾寸法をＢとし、外側引戸障子の巾寸法をＤとし、受け材と一方側のサッシ縦枠との間の寸法をＷ２とし、受け材と他方側のサッシ縦枠との間の寸法をＷ１としたときに、
Ａ＋Ｂ≧Ｄ
Ａ＋Ｂ＝Ｗ１
Ｄ＝Ｗ２
の関係にあることを特徴とするフルオープンサッシ。
【請求項３】
サッシ枠と、サッシ枠に組み込まれる複数の引戸障子と、ＦＩＸ障子とを備え、
サッシ枠は引戸障子が走行する内レールと、外レールと、内レールと外レールとの間に配置した中間レールを有すると共に左右方向中間部の室内側に間仕切りを受ける受け材を有し、
受け材の左右方向一方側には、外レールに外側引戸障子を走行自在に配置してあり、内レールに一方側の内側引戸障子を走行自在に配置してあり、中間レールに中間引戸障子を走行自在に配置してあり、
受け材の左右方向他方側には、ＦＩＸ障子が一方側の内側引戸障子に隣接し且つ内レールよりも室内側に配置してあると共に他方側の内側引戸障子を内レールに走行自在に配置してあり、
他方側の内側引戸障子の巾寸法をＡとし、ＦＩＸ障子の巾寸法をＢとし、一方側の内側引戸障子の巾寸法をＣとし、外側引戸障子の巾寸法をＤとし、中間引戸障子の巾寸法をＥとし、受け材と一方側のサッシ縦枠との間の寸法をＷ２とし、受け材と他方側のサッシ縦枠との間の寸法をＷ１としたときに、
Ａ＋Ｂ≧Ａ＋Ｃ
Ａ＋Ｂ＝Ｗ１
Ｃ＋Ｄ＋Ｅ＝Ｗ２
Ａ＋Ｂ≧Ｄ
Ａ＋Ｂ≧Ｅ
の関係にあることを特徴とするフルオープンサッシ。
【発明の詳細な説明】
【技術分野】
【０００１】
本発明は、フルオープンサッシに関する。  
【背景技術】
【０００２】
非特許文献１には、リビング等の部屋の躯体開口部に設置するサッシが開示されている。  
【先行技術文献】
【非特許文献】
【０００３】
【非特許文献１】第２５頁「三協アルミ  ＭＴＧ−７０  ｓｅｒｉｅｓ  ＤＥＴＡＩＬ図面集」カタログＮｏ．ＳＴＢ０３６６Ｄ（１）  三協立山株式会社  三協アルミ社  ２０１５年１月更新
【発明の概要】
【発明が解決しようとする課題】
【０００４】
しかし、非特許文献１のサッシでは、リビング等の部屋の障子を全部開放することができなかった。  
【０００５】
そこで、本発明は、部屋の障子を全部開放することができるフルオープンサッシの提供を目的とする。  
【課題を解決するための手段】
【０００６】
請求項１に記載の発明は、サッシ枠と、サッシ枠に組み込まれる複数の引戸障子と、ＦＩＸ障子とを備え、サッシ枠は引戸障子が走行する内レールと外レールを有すると共に左右方向中間部の室内側に間仕切りを受ける受け材を有し、受け材の左右方向一方側には、外レールに外側引戸障子を走行自在に配置してあり、内レールに一方側の内側引戸障子を走行自在に配置してあり、受け材の左右方向他方側には、ＦＩＸ障子が一方側の内側引戸障子に隣接して且つ内レールよりも室内側に配置してあると共に、他方側の内側引戸障子を内レールに走行自在に配置してあり、他方側の内側引戸障子の巾寸法をＡとし、ＦＩＸ障子の巾寸法をＢとし、一方側の内側引戸障子の巾寸法をＣとし、外側引戸障子の巾寸法をＤとし、受け材と一方側のサッシ縦枠との間の寸法をＷ２とし、受け材と他方側のサッシ縦枠との間の寸法をＷ１としたときに、
Ａ＋Ｂ≧Ａ＋Ｃ
Ａ＋Ｂ≧Ｄ
Ａ＋Ｂ＝Ｗ１
Ｃ＋Ｄ＝Ｗ２
の関係にあることを特徴とするフルオープンサッシである。  
【０００７】
請求項２に記載の発明は、サッシ枠と、サッシ枠に組み込まれる複数の引戸障子と、ＦＩＸ障子とを備え、サッシ枠は引戸障子が走行する内レールと外レールを有すると共に左右方向中間部の室内側に間仕切りを受ける受け材を有し、受け材の左右方向一方側には、外レールに外側引戸障子を走行自在に配置してあり、受け材の左右方向他方側には、ＦＩＸ障子がその一方側縦框を外側引戸障子に隣接して且つ内レールよりも室内側に配置してあると共に、内レールに内側引戸障子を走行自在に配置してあり、内側引戸障子の巾寸法をＡとし、ＦＩＸ障子の巾寸法をＢとし、外側引戸障子の巾寸法をＤとし、受け材と一方側のサッシ縦枠との間の寸法をＷ２とし、受け材と他方側のサッシ縦枠との間の寸法をＷ１としたときに、
Ａ＋Ｂ≧Ｄ
Ａ＋Ｂ＝Ｗ１
Ｄ＝Ｗ２
の関係にあることを特徴とするフルオープンサッシである。  
【０００８】
請求項３に記載の発明は、サッシ枠と、サッシ枠に組み込まれる複数の引戸障子と、ＦＩＸ障子とを備え、サッシ枠は引戸障子が走行する内レールと、外レールと、内レールと外レールとの間に配置した中間レールを有すると共に左右方向中間部の室内側に間仕切りを受ける受け材を有し、受け材の左右方向一方側には、外レールに外側引戸障子を走行自在に配置してあり、内レールに一方側の内側引戸障子を走行自在に配置してあり、中間レールに中間引戸障子を走行自在に配置してあり、受け材の左右方向他方側には、ＦＩＸ障子が一方側の内側引戸障子に隣接し且つ内レールよりも室内側に配置してあると共に他方側の内側引戸障子を内レールに走行自在に配置してあり、他方側の内側引戸障子の巾寸法をＡとし、ＦＩＸ障子の巾寸法をＢとし、一方側の内側引戸障子の巾寸法をＣとし、外側引戸障子の巾寸法をＤとし、中間引戸障子の巾寸法をＥとし、受け材と一方側のサッシ縦枠との間の寸法をＷ２とし、受け材と他方側のサッシ縦枠との間の寸法をＷ１としたときに、
Ａ＋Ｂ≧Ａ＋Ｃ
Ａ＋Ｂ＝Ｗ１
Ｃ＋Ｄ＋Ｅ＝Ｗ２
Ａ＋Ｂ≧Ｄ
Ａ＋Ｂ≧Ｅ
の関係にあることを特徴とするフルオープンサッシである。  
【発明の効果】
【０００９】
請求項１〜３に記載の発明によれば、一つのサッシでありながら、一方の部屋の障子を全部開放することができる。  
【図面の簡単な説明】
【００１０】
【図１】第１実施の形態にかかるフルオープンサッシを取り付けた躯体開口部の横断面であって、障子を全て閉じた状態におけるフルオープンサッシ全体の概略図である。
【図２】第１実施の形態にかかるフルオープンサッシを取り付けた躯体開口部の横断面であって、一方の部屋の障子を全部開放した状態におけるフルオープンサッシ全体の概略図である。
【図３】第１実施の形態にかかるフルオープンサッシにおいて障子を全て閉じた状態を、一方側及び他方側のアコーディオン網戸を一部除いて、室内側から見た正面図である。
【図４】第１実施の形態にかかるフルオープンサッシを取り付けた躯体開口部の横断面である。
【図５】図２に示すＦ−Ｆ断面図である。
【図６】図１に示すＧ−Ｇ位置で内側引戸障子と外側引戸障子を重ねた状態の断面図である。
【図７】第１実施の形態にかかるフルオープンサッシを取り付けた部屋の間取りを示す横断面図である。
【図８】第２実施の形態にかかるフルオープンサッシを取り付けた躯体開口部の横断面であって、障子を全て閉じた状態におけるフルオープンサッシ全体の概略図である。
【図９】第２実施の形態にかかるフルオープンサッシを取り付けた躯体開口部の横断面であって、一方の部屋の障子を全部開放した状態におけるフルオープンサッシ全体の概略図である。
【図１０】第３実施の形態にかかるフルオープンサッシを取り付けた躯体開口部の横断面であって、障子を全て閉じた状態におけるフルオープンサッシ全体の概略図である。
【図１１】第３実施の形態にかかるフルオープンサッシを取り付けた躯体開口部の横断面であって、一方の部屋の障子を全部開放した状態におけるフルオープンサッシ全体の概略図である。
【発明を実施するための形態】
【００１１】
以下に、添付図面を参照して本発明の実施の形態について説明するが、まず、図１〜図７を参照して本発明の第１実施の形態について説明する。  
図７に示すように、本実施の形態にかかるフルオープンサッシ（以下「サッシ」という）１は、いわゆるマンション等の集合住宅において、室内からバルコニー６（室外側）への出入口に設けるサッシであり、室内は間仕切り３により、一方の部屋５（一方側）と他方の部屋（他方側）７とに仕切られており、一方の部屋５と他方の部屋７はそれぞれバルコニー６に面する間取りとしてある。本実施の形態では、一方の部屋５はダイニング・リビングであり、他方の部屋７は洋室である。間仕切り３は、複数の引戸パネル３ａを有し、引戸パネル３ａにより一方の部屋５と他方の部屋７とを開閉自在に仕切っている。  
【００１２】
サッシ１は、サッシ枠９と、サッシ枠９に組み込まれるＦＩＸ障子１１及び複数の引戸障子とを備えている。複数の引戸障子は、本実施の形態では、他方側の内側引戸障子１３、一方側の内側引戸障子１５及び外側引戸障子１７である。そして、このサッシ１により、他方の部屋７からバルコニー６へ出入りする他方の出入口４ａと、一方の部屋５からバルコニー６へ出入りする一方の出入口４ｂとを形成している。  
図１〜図６に示すように、サッシ枠９は、上枠２１、下枠２３、一方側サッシ縦枠２５ｂ、他方側サッシ縦枠２５ａを枠組みしてあり、下枠２３には、他方側の内側引戸１３及び一方側の内側引戸障子１５が走行する内レール２７と、外側引戸障子１７が走行する外レール２９が設けてある。サッシ枠９において、上枠２１と下枠２３の左右方向中間部に、間仕切り３を受ける受け材３５が設けてある。  
【００１３】
ＦＩＸ障子１１は、内レール２７の内側で他方の部屋に配置してあり、ＦＩＸ障子１１と他方側サッシ縦枠２５ａとの間には他方側アコーディオン網戸３１が設けてあり、他方側アコーディオン網戸３１及び他方側の内側引戸障子１３が閉じている他方の出入口４ａを開いて、他方の部屋７からバルコニー６へ出入りできるようにしてある。  
ＦＩＸ障子１１と一方側サッシ縦枠２５ｂとの間には一方側アコーディオン網戸３３が設けてあり、一方側アコーディオン網戸３３を開くと共に、一方側の内側引戸障子１５及び外側引戸障子１７の少なくとも一方の障子を開いて、一方の部屋５からバルコニー６へ出入りできるようにしてある。  
図４に示すように、一方側アコーディオン網戸３３はその左右方向中央部から一方側と他方側とに分け開く網戸であり、他方側網戸部分３３ａの戸尻側はＦＩＸ障子１１の一方側ＦＩＸ縦框１１ｂに固定してあり、一方側網戸部分３３ｂの戸尻側は一方側サッシ縦枠２５ｂに固定してある。  
【００１４】
ＦＩＸ障子１１の他方側ＦＩＸ縦框１１ａには、他方側アコーディオン網戸３１の戸先側端部３１ａを受ける戸先受け３９が一体に形成してある。尚、他方側アコーディオン網戸３１の戸尻側端部３１ｂは、他方側サッシ縦枠２５ａに固定してある。  
一方側ＦＩＸ縦框１１ｂには、前述した一方側アコーディング網戸３３の戸尻側端部３３ｃを固定する網戸固定部３４が一体に形成してあると共に、網戸固定部３４の室内側に受け材３５を取り付ける受け材取付部３７が一体に形成してある。  
【００１５】
次に、各障子の巾寸法（左右の見付寸法）と、受け材３５と各サッシ縦枠２５ａ、２５ｂ間の寸法、及びそれらの関係について説明する。  
図１に示すように、他方側の内側引戸障子１３の巾寸法をＡとし、ＦＩＸ障子１１の巾寸法をＢとし、一方側の内側引戸障子１５の巾寸法をＣとし、外側引戸障子１７の巾寸法をＤとし、受け材３５と一方側サッシ縦枠２５ｂとの間の寸法をＷ２とし、受け材３５と他方側サッシ縦枠２５ａとの間の寸法をＷ１としたときに、下記式の関係にある。  
Ａ＋Ｂ≧Ａ＋Ｃ
Ａ＋Ｂ≧Ｄ
Ａ＋Ｂ＝Ｗ１
Ｃ＋Ｄ＝Ｗ２
【００１６】
次に、第１実施の形態にかかるサッシ１において、一方の出入口４ｂ及び他方の出入口４ａの開閉について説明する。  
図１に示すように、一方の出入口４ｂ及び他方の出入口４ａが各々全閉状態にあるときには、一方の出入口４ｂでは一方側の内側引戸障子１５と外側引戸障子１７を直線状に並べて配置し、他方の出入口４ａでは、ＦＩＸ障子１１に対して、他方側の内側引戸障子１３を直線状に並べて配置して、各出入口４ｂ、４ａを閉じる。  
【００１７】
一方、図２に示すように、一方の出入口４ｂを全開状態にするときには、他方の出入口４ａを他方側の内側引戸障子１３で全閉じ状態にしたままで、一方側の内側引戸障子１５及び外側引戸障子１７を他方側へ引き寄せる。  
この一方の出入口４ｂの全開状態では、図２に示すように、一方側アコーディオン網戸３３を閉じた状態として、網戸を介して全開状態で通風することもできるし、一方側アコーディオン網戸３３を開いてバルコニー６へ出入するようにしても良い。  
【００１８】
第１実施の形態にかかるサッシの作用効果について説明する。図２に示すように、この第１実施の形態によれば、一つのサッシ１でありながら、一方の部屋５の障子１５、１７を他方側へ引き寄せることで、一方の出入口４ｂを全部開放することができる。  
図１に示すように、他方の出入口４ａには、ＦＩＸ障子１１に対して引き違い可能な他方側の内側引戸障子１３を設けてあるから、他方の部屋７の内側引戸障子１３を一方側へ引き寄せることで、他方の出入口４ａからもバルコニー６への出入ができる。  
【００１９】
図４に示すように、ＦＩＸ障子１１の一方側ＦＩＸ縦框１１ｂには、間仕切り３の受け材３５を取り付ける受け材取付部３７が一体に形成してあるから、受け材取付部３７を別に設けなくて済むので、部品点数を少なくでき且つ施工も容易である。  
また、ＦＩＸ障子１１の一方側ＦＩＸ縦框１１ｂには、一方側アコーディオン網戸３３の他方側網戸部分３３ａの戸尻側端部３３ｃを固定する網戸固定部３４が一体に形成してあるから、網戸固定部３４を別に設けてなくて済むので、部品点数を少なくでき且つ一方側アコーディオン網戸３３の施工が容易にできる。  
同様に、ＦＩＸ障子１１の他方側ＦＩＸ縦框１１ａにも、他方側アコーディオン網戸３１の戸先側端部３１ａを受ける戸先受け３９が一体に形成してあるから、網戸の戸先受けを別に設けなくて済むので、部品点数を少なくでき且つ施工も容易である。  
【００２０】
以下に本発明の他の実施の形態を説明するが、以下に説明する実施の形態において、上述した第１実施の形態と同一の作用効果を奏する部分には同一の符号を付することによりその部分の詳細な説明を省略し、以下の説明では第１実施の形態と主に異なる点を説明する。  
図８及び図９に、第２実施の形態にかかるサッシ１を示す。この第２実施の形態にかかるサッシ１では、内レール２７には他方側の内側引戸障子１３のみを走行自在に配置してあり、第１実施の形態で配置してあった一方側の内側引戸障子１５を設けていない。更に、図８に示すように、外側引戸障子１７の巾寸法Ｄを受け材３５と一方側サッシ縦枠２５との間の寸法Ｗ２と略同じ寸法としてあり、一方の出入口４ｂを閉じた状態において、ＦＩＸ障子１１がその一方側ＦＩＸ縦框１１ｂを外側引戸障子１７に隣接して且つ内レール２７よりも室内側に配置してある。  
【００２１】
この第２実施の形態では、外側引戸障子１７の巾寸法Ｄとしたときに、他方側の引戸障子の巾寸法Ａ、ＦＩＸ障子の巾寸法Ｂと、受け材３５と他方側サッシ縦枠２５ａとの間の寸法Ｗ１、受け材３５と一方側サッシ縦枠２５との間の寸法Ｗ２は以下の関係としてある。  
Ａ＋Ｂ≧Ｄ
Ａ＋Ｂ＝Ｗ１
Ｄ＝Ｗ２
【００２２】
この第２実施の形態によれば、図９に示すように、一つのサッシ１でありながら、一方の部屋５側にある外側引戸障子１７を他方側へ引き寄せることで、一方の出入口４ｂを全部開放することができると共にその他の部分においても、第１実施の形態と同様の作用効果を奏することができる。  
【００２３】
図１０及び図１１を参照して、本発明の第３実施の形態にかかるサッシ１を説明する。
第３実施の形態では、内レール２７と外レール２９との間に中間レール２８を設けてあり、中間レール２８には中間引戸障子１９が走行自在に設けてある。  
また、第３実施の形態では、中間引戸障子の巾寸法をＥとしたときに、上述した各障子の巾寸法Ａ、Ｂ、Ｃ、Ｄと、受け材３５と各左右のサッシ縦枠２５ａ、２５との寸法Ｗ１、Ｗ２は以下の関係としてある。  
Ａ＋Ｂ≧Ａ＋Ｃ
Ａ＋Ｂ＝Ｗ１
Ｃ＋Ｄ＋Ｅ＝Ｗ２
Ａ＋Ｂ≧Ｄ
Ａ＋Ｂ≧Ｅ
【００２４】
この第３実施の形態によれば、図１１に示すように、一つのサッシ１でありながら、一方の部屋５側にある一方側の内側引戸障子１５、中間引戸障子１９及び外側引戸障子１７を他方側へ引き寄せることで、一方の出入口４ｂを全部開放することができると共にその他の部分においても、第１実施の形態と同様の作用効果を奏することができる。  
【００２５】
本発明は、前述した実施の形態に限定されるものではなく、その要旨を逸脱しない範囲で種々変形可能である。  
例えば、サッシ１は、出入口サッシに限らず、窓サッシであっても良い。  
間仕切り３は、引戸パネル３ａにより一方の部屋５と他方の部屋７とを開閉自在に仕切ることに限らず、壁や襖により仕切るものであって良いし、複数の回転パネルにより仕切るものであっても良い。  
【符号の説明】
【００２６】
１    サッシ（フルオープンサッシ）
３    間仕切り
５    一方の部屋
７    他方の部屋
９    サッシ枠
１１  ＦＩＸ障子
１３  他方側の内側引戸障子
１５  一方側の内側引戸障子
１７  外側引戸障子
１９  中間引戸障子
２５ａ  一方側サッシ縦枠
２５ｂ  他方側サッシ縦枠
２７  内レール
２８  中間レール
２９  外レール
３５受け材
Ａ  他方側の内側引戸障子の巾寸法
Ｂ  ＦＩＸ障子の巾寸法
Ｃ  一方側の内側引戸障子の巾寸法
Ｄ  外側引戸障子の巾寸法
Ｅ  中間引戸障子の巾寸法
Ｗ１  受け材と他方側サッシ縦枠との間の寸法
Ｗ２  受け材と一方側サッシ縦枠との間の寸法
【図１】
0006613111.tif 000002
【図２】
0006613111.tif 000003
【図３】
0006613111.tif 000004
【図４】
0006613111.tif 000005
【図５】
0006613111.tif 000006
【図６】
0006613111.tif 000007
【図７】
0006613111.tif 000008
【図８】
0006613111.tif 000009
【図９】
0006613111.tif 000010
【図１０】
0006613111.tif 000011
【図１１】
0006613111.tif 000012